(57)【特許請求の範囲】
【請求項１】
長手方向、幅方向、及び厚さ方向を備えた吸収性物品であって、
液体を吸収する吸収体を備え、
前記吸収体は、前記厚さ方向の肌側に突出して折れ曲がるように誘導する折れ線を前記長手方向の一端から他端に亘って有し、
前記折れ線に沿った折り癖を備えており、
前記折れ線は圧搾された溝ではないことを特徴とする吸収性物品。
【請求項２】
請求項１に記載の吸収性物品であって、
前記吸収体は、前記厚さ方向に圧搾された点状圧搾部を複数有し、
前記点状圧搾部は、圧搾されることにより形成された被圧搾面を前記厚さ方向の一側に有し、
隣り合う前記点状圧搾部において、前記被圧搾面の中心間距離は前記被圧搾面の最も広い幅の寸法よりも長い
ことを特徴とする吸収性物品。
【請求項３】
請求項２に記載の吸収性物品であって、
隣り合う前記点状圧搾部において、前記被圧搾面の中心間距離は１ｍｍ以上１０ｍｍ以下である
ことを特徴とする吸収性物品。
【請求項４】
請求項２又は３に記載の吸収性物品であって、
前記被圧搾面の最も広い幅の寸法は、０．４ｍｍ以上４．０ｍｍ以下である
ことを特徴とする吸収性物品。
【請求項５】
請求項２〜４のいずれか１項に記載の吸収性物品であって、
前記吸収体は、
前記折れ線を前記幅方向の中心に含み、かつ前記幅方向の寸法が前記吸収体の前記厚さ方向の寸法の二倍以下である折り誘導領域を前記長手方向の一端から他端に亘って有すると共に、
少なくとも一部が前記折り誘導領域に重なる第１点状圧搾部と、前記第１点状圧搾部と隣り合って配置され少なくとも一部が前記折り誘導領域に重なっている第２点状圧搾部とを有する
ことを特徴とする吸収性物品。
【請求項６】
請求項５に記載の吸収性物品であって、
前記点状圧搾部における前記厚さ方向の開口の最も広い幅は、前記折り誘導領域の幅よりも狭い
ことを特徴とする吸収性物品。
【請求項７】
請求項２〜６のいずれか１項に記載の吸収性物品であって、
複数の前記点状圧搾部は、前記長手方向及び前記幅方向にそれぞれ等間隔に配置されている
ことを特徴とする吸収性物品。
【請求項８】
請求項２〜６のいずれか１項に記載の吸収性物品であって、
前記長手方向に隣り合う前記点状圧搾部の間の距離は、前記幅方向に隣り合う前記点状圧搾部の間の距離よりも短い
ことを特徴とする吸収性物品。
【請求項９】
請求項８に記載の吸収性物品であって、
前記点状圧搾部の前記長手方向の寸法は、前記幅方向の寸法よりも長い
ことを特徴とする吸収性物品。
【請求項１０】
請求項２〜９のいずれか１項に記載の吸収性物品であって、
前記吸収体は、熱可塑性樹脂を含む吸収性コア、及び熱可塑性樹脂を含むカバーシートが前記厚さ方向に積層されており、
複数の前記点状圧搾部は、前記吸収性コアと前記カバーシートとを圧搾して形成されている
ことを特徴とする吸収性物品。
【請求項１１】
請求項１〜１０のいずれか１項に記載の吸収性物品であって、
前記厚さ方向の肌側から前記吸収体を覆うトップシートを有し、
前記トップシートは前記吸収体よりも密度が低い不織布であり、
前記トップシートと前記吸収体とが接合している
ことを特徴とする吸収性物品。
【請求項１２】
請求項１１に記載の吸収性物品であって、
前記トップシートと前記吸収体とは、複数の点状接合圧搾部により前記厚さ方向に接合されており、
前記吸収体は、前記折れ線を前記幅方向の中心に含み、かつ前記幅方向の寸法が前記吸収体の前記厚さ方向の寸法の二倍以下である折り誘導領域を前記長手方向の一端から他端に亘って有し、
複数の前記点状接合圧搾部は、前記折り誘導領域の前記幅方向外側に配置されている
ことを特徴とする吸収性物品。
【請求項１３】
請求項１〜１２のいずれか１項に記載の吸収性物品であって、
前記吸収体の前記厚さ方向の寸法は３ｍｍ以下である
ことを特徴とする吸収性物品。
【発明の詳細な説明】
【技術分野】
【０００１】
本発明は、吸収性物品に関する。
【背景技術】
【０００２】
従来、吸収性物品として生理用ナプキンが知られている。例えば、特許文献１には、液体不透過性の裏面シートと、裏面シートに取り付けられた液体透過性の上面シートと、裏面シート及び上面シートの間に位置決めされた吸収体（吸収性コア）とを備えたものが開示されている。
【０００３】
この吸収性物品の吸収体は、長手方向及び幅方向の中央に位置する膣口領域（股領域）に成形線を有している。当該成形線は、吸収体の長手方向に延びる中央縦線と、中央縦線の両端点からそれぞれ幅方向外側に向かって延伸する一対の線とから構成されている。吸収性物品の使用時において膣口領域が幅方向に圧縮されると、吸収体は中央縦線を起点に使用者の肌側に向かって折れ曲がるように変形する。
【先行技術文献】
【特許文献】
【０００４】
【特許文献１】特表２００２−５３８８４９号公報
【発明の概要】
【発明が解決しようとする課題】
【０００５】
特許文献１に記載の吸収性物品では、中央縦線が吸収体の膣口領域にのみ形成されているため、着脱を繰り返して使用する状況下においては経血等の液体が吸収体の膣口領域に溜まりやすく、中央縦線を起点とした吸収体の折れ曲がり形状が崩れやすくなることから、当該形状が維持し難くなって使用者の膣口にフィットしづらくなる可能性があった。
【０００６】
本発明は、上記のような問題に鑑みてなされたものであって、その目的とするところは、着脱を繰り返して使用した場合であっても、膣口等の排泄口に吸収体をフィットさせることが可能な吸収性物品を提供することにある。
【課題を解決するための手段】
【０００７】
上記目的を達成するための主たる発明は、
長手方向、幅方向、及び厚さ方向を備えた吸収性物品であって、
液体を吸収する吸収体を備え、
前記吸収体は、前記厚さ方向の肌側に突出して折れ曲がるように誘導する折れ線を前記長手方向の一端から他端に亘って有し、
前記折れ線に沿った折り癖を備えており、
前記折れ線は圧搾された溝ではないことを特徴とする吸収性物品である。
本発明の他の特徴については、本明細書及び添付図面の記載により明らかにする。
【発明の効果】
【０００８】
本発明によれば、着脱を繰り返して使用した場合であっても、膣口等の排泄口に吸収体をフィットさせることが可能である。
【図面の簡単な説明】
【０００９】
【図１】本発明の実施形態に係る生理用ナプキンを厚さ方向の肌側から見た概略平面図である。
【図２】生理用ナプキンを厚さ方向の非肌側から見た概略平面図である。
【図３】図１のIII−III線断面図である。
【図４】吸収体を厚さ方向の非肌側から見た概略平面図である。
【図５】図５Ａ及び図５Ｂは吸収体を長手方向から見た場合の模式図であり、図５Ａは吸収体が折れ曲がった状態を示し、図５Ｂは折れ曲がった吸収体を広げた状態を示している。
【図６】生理用ナプキンの使用態様について説明するための説明図である。
【図７】吸収体を長手方向から見た場合における一部拡大模式図である。
【図８】吸収体を厚さ方向の非肌側から見た場合における折り誘導領域周辺の拡大模式図である。
【図９】本発明の変形例に係る吸収体を厚さ方向の非肌側から見た場合における折り誘導領域周辺の拡大模式図である。
【発明を実施するための形態】
【００１０】
本明細書及び添付図面の記載により、少なくとも以下の事項が明らかとなる。
【００１１】
長手方向、幅方向、及び厚さ方向を備えた吸収性物品であって、液体を吸収する吸収体を備え、前記吸収体は、前記厚さ方向の肌側に突出して折れ曲がるように誘導する折れ線を前記長手方向の一端から他端に亘って有する吸収性物品が明らかとなる。これにより、かかる吸収性物品の着脱を繰り返した場合であっても、前記折れ線による折れ曲がり形状が維持されるため、前記吸収体が膣口等の排泄口にフィットしやすくなる。
【００１２】
かかる吸収性物品であって、前記吸収体は、前記厚さ方向に圧搾された点状圧搾部を複数有し、前記点状圧搾部は、圧搾されることにより形成された被圧搾面を前記厚さ方向の一側に有し、隣り合う前記点状圧搾部において、前記被圧搾面の中心間距離は前記被圧搾面の最も広い幅の寸法よりも長いことが望ましい。これにより、液体が流動するために必要な流路を前記点状圧搾部の間に確保することができるため、前記吸収体内に液体が円滑に拡散しやすくなり、前記折れ線の周辺部に液体が溜まることが抑制されて前記吸収体の折れ曲がり形状を安定的に維持することが可能となる。
【００１３】
かかる吸収性物品であって、隣り合う前記点状圧搾部において、前記被圧搾面の中心間距離は１ｍｍ以上１０ｍｍ以下であることが望ましい。これにより、液体が流動するための流路を前記点状圧搾部の間に確保することができると共に、前記吸収体内において液体の円滑な拡散が可能となる。
【００１４】
かかる吸収性物品であって、前記被圧搾面の最も広い幅の寸法は、０．４ｍｍ以上４．０ｍｍ以下であることが望ましい。これにより、前記吸収体を前記厚さ方向に貫通することなく前記点状圧搾部を形成することができると共に、前記吸収体内において液体の円滑な拡散が可能となる。
【００１５】
かかる吸収性物品であって、前記吸収体は、前記折れ線を前記幅方向の中心に含み、かつ前記幅方向の寸法が前記吸収体の前記厚さ方向の寸法の二倍以下である折り誘導領域を前記長手方向の一端から他端に亘って有すると共に、少なくとも一部が前記折り誘導領域に重なる第１点状圧搾部と、前記第１点状圧搾部と隣り合って配置され少なくとも一部が前記折り誘導領域に重なっている第２点状圧搾部とを有することが望ましい。これにより、液体が流動するための流路を前記折り誘導領域内に形成することで前記折り誘導領域における排泄口との接触部分に液体が溜まることを抑制することができるため、前記吸収体の折れ曲がり形状を安定的に維持することができる。
【００１６】
かかる吸収性物品であって、前記点状圧搾部における前記厚さ方向の開口の最も広い幅は、前記折り誘導領域の幅よりも狭いことが望ましい。これにより、液体が流動するための流路を前記折り誘導領域内に確保することができるため、前記折り誘導領域内において前記長手方向に液体を流動させやすくなる。
【００１７】
かかる吸収性物品であって、複数の前記点状圧搾部は、前記長手方向及び前記幅方向にそれぞれ等間隔に配置されていることが望ましい。これにより、前記吸収体における前記長手方向への液体の流動を円滑に行うことができると共に、前記吸収体の前記幅方向の剛性も確保することが可能となる。
【００１８】
かかる吸収性物品であって、前記長手方向に隣り合う前記点状圧搾部の間の距離は、前記幅方向に隣り合う前記点状圧搾部の間の距離よりも短いことが望ましい。これにより、前記吸収体内において前記幅方向よりも前記長手方向へ液体が流動しやすくなり、より短い時間で液体を前記吸収体内に拡散させることができる。
【００１９】
かかる吸収性物品であって、前記点状圧搾部の前記長手方向の寸法は、前記幅方向の寸法よりも長いことが望ましい。これにより、前記長手方向に隣り合う前記点状圧搾部の間の距離を短くすることが可能となる。
【００２０】
かかる吸収性物品であって、前記吸収体は、熱可塑性樹脂を含む吸収性コア、及び熱可塑性樹脂を含むカバーシートが前記厚さ方向に積層されており、複数の前記点状圧搾部は、前記吸収性コアと前記カバーシートとを圧搾して形成されていることが望ましい。これにより、前記吸収性コアと前記カバーシートとがより強固に接合されるため、前記吸収体が液体を吸収して前記厚さ方向に膨張した場合であっても前記厚さ方向の変形が抑制されて、前記吸収体内において液体の円滑な拡散が可能となる。
【００２１】
かかる吸収性物品であって、前記厚さ方向の肌側から前記吸収体を覆うトップシートを有し、前記トップシートは前記吸収体よりも密度が低い不織布であり、前記トップシートと前記吸収体とが接合していることが望ましい。これにより、毛管現象を利用して液体が前記トップシートから前記吸収体に流動しやすくなるため、液体が前記トップシートの表面上を流れてしまうといった問題や前記吸収体内に吸収された液体が前記トップシートの表面上に逆流（液戻り）してしまうといった問題を回避することができる。
【００２２】
かかる吸収性物品であって、前記トップシートと前記吸収体とは、複数の点状接合圧搾部により前記厚さ方向に接合されており、前記吸収体は、前記折れ線を前記幅方向の中心に含み、かつ前記幅方向の寸法が前記吸収体の前記厚さ方向の寸法の二倍以下である折り誘導領域を前記長手方向の一端から他端に亘って有し、複数の前記点状接合圧搾部は、前記折り誘導領域の前記幅方向外側に配置されていることが望ましい。これにより、複数の前記点状接合圧搾部が前記折り誘導領域内に存在しないため、前記吸収体の折れ曲がり形状を維持しやすくなる。
【００２３】
かかる吸収性物品であって、前記吸収体の前記厚さ方向の寸法は３ｍｍ以下であることが望ましい。これにより、前記吸収体の厚みを薄くすることにより、前記折れ線に沿って折れ曲がり形状を形成しやすくなると共に、当該折れ曲がり形状をより維持しやすくなる。
【００２４】
＝＝＝実施形態＝＝＝
本発明の実施形態に係る吸収性物品の一例として、生理用ナプキン１について説明する。なお、当該吸収性物品には、所謂おりものシート（例えばパンティライナー）等も含まれており、生理用ナプキンに限定されるものではない。
【００２５】
＜生理用ナプキン１の構成＞
生理用ナプキン１の構成について、図１〜図５を参照して説明する。
【００２６】
図１は、本発明の実施形態に係る生理用ナプキン１を厚さ方向の肌側から見た概略平面図である。図２は、生理用ナプキン１を厚さ方向の非肌側から見た概略平面図である。図３は、図１のIII−III線断面図である。図４は、吸収体３を厚さ方向の非肌側から見た概略平面図である。図５Ａ及び図５Ｂは吸収体３を長手方向から見た場合の模式図であり、図５Ａは吸収体３が折れ曲がった状態を示し、図５Ｂは折れ曲がった吸収体３を広げた状態を示している。
【００２７】
生理用ナプキン１は、図１及び図２に示すように、平面視縦長形状のシート状部材であり、長手方向、幅方向、及び厚さ方向を備える。以下の説明において、「長手方向」とは、生理用ナプキン１の製品の長手方向を示し、「幅方向」とは、長手方向に直交する短手方向を示し、「厚さ方向」とは、長手方向及び幅方向に直交する方向を示す。また、厚さ方向は、生理用ナプキン１の使用時において使用者の肌と接する側となる「肌側」と、その反対側となる「非肌側」とを有する。
【００２８】
生理用ナプキン１は、図３に示すように、トップシート２、吸収体３、及びバックシート４を備え、厚さ方向の肌側から非肌側へ向かってトップシート２、吸収体３、バックシート４の順に積層されている。トップシート２と吸収体３、及び吸収体３とバックシート４とは、ホットメルト接着剤等の接着剤５０によってそれぞれ接合されている。接着剤５０の塗布パターンとしては、例えばΩパターンやスパイラルパターン、ストライプパターン等が挙げられる。
【００２９】
トップシート２は、経血等の液体を厚さ方向の肌側から非肌側に透過させる液透過性の部材であり、生理用ナプキン１の使用時において使用者の肌と当接する。図１に示すように、トップシート２は、平面視において吸収体３よりも大きく形成され、厚さ方向の肌側から吸収体３を覆っている。なお、図１では、吸収体３を破線で示している。トップシート２は、吸収体３よりも長手方向の外側及び幅方向の外側へ延出した外縁部２１を有すると共に、幅方向の外側へ張り出した一対の張り出し部２２を長手方向の略中央に有している。
【００３０】
本実施形態では、トップシート２は、吸収体３よりも密度が低い不織布であり、例えばエアスルー不織布等が用いられる。なお、トップシート２は、エアスルー不織布等の適宜な不織布に限らず、液透過性を有する柔軟なシート部材であればよいが、吸収体３よりも密度が低い不織布を用いることがより望ましい。
【００３１】
なぜなら、毛管現象を利用することができ、トップシート２から吸収体３へ液体が浸透しやすくなるからである。ここで、「毛管現象」とは、液体中に入れた細い管の内部や固体壁間の隙間等で液面が外側の自由表面より上昇する現象をいい、この作用は、隙間が狭いほど強くなる。したがって、液体はトップシート２内に形成された繊維の隙間や吸収体３内に形成された繊維の隙間を流動して各部材に浸透し、当該隙間が狭いほど液体の浸透速度が速まるため、トップシート２側からトップシート２よりも密度が高い（隙間が狭い）吸収体３側へと浸透しやすくなる。よって、液体がトップシート２の表面（肌側面）上を流れてしまうといった問題や、吸収体３の内部に吸収された液体がトップシート２の表面上に逆流（液戻り）してしまうといった問題を回避することが可能となる。
【００３２】
吸収体３は、経血等の液体を吸収して内部に保持する部材である。図３に示すように、吸収体３は、吸収性コア３１、肌側カバーシート３２、及び非肌側カバーシート３３を備え、厚さ方向の肌側（トップシート２側）から非肌側（バックシート４側）へ向かって肌側カバーシート３２、吸収性コア３１、非肌側カバーシート３３の順に積層されている。
【００３３】
吸収性コア３１は、液体吸収性繊維であるセルロース系吸水性繊維と、熱可塑性樹脂繊維とを含み、これらの繊維が互いに混合した状態で構成されている。液体吸収性繊維としては、例えばパルプ繊維等が用いられる。なお、液体吸収性繊維に加えて液体吸収性粒状物の一例として高吸収性ポリマー（いわゆるＳＡＰ）等が用いられていてもよい。また、熱可塑性樹脂繊維としては、例えば鞘がポリエチレン（ＰＥ）で芯がポリエチレンテレフタレート（ＰＥＴ）のいわゆる鞘芯構造の複合繊維等が用いられる。
【００３４】
肌側カバーシート３２は、熱可塑性樹脂繊維を含む不織布であり、例えばエアスルー不織布等の液透過性に優れた部材が用いられる。非肌側カバーシート３３は、肌側カバーシート３２と同様に熱可塑性樹脂繊維を含む不織布であり、例えばＳＭＳ（スパンボンド／メルトブローン／スパンボンド）不織布等の柔軟性に優れた部材が用いられる。
【００３５】
図３に示すように、肌側カバーシート３２と吸収性コア３１、及び吸収性コア３１と非肌側カバーシート３３とは、ホットメルト接着剤等の接着剤５００によって、厚さ方向にそれぞれ接合されている。
【００３６】
なお、吸収性コア３１、肌側カバーシート３２、及び非肌側カバーシート３３のそれぞれに含まれる熱可塑性樹脂は、必ずしも繊維状のものである必要はなく、その形状については特に制限はない。また、吸収性コア３１、肌側カバーシート３２、及び非肌側カバーシート３３に必ずしも熱可塑性樹脂が含まれている必要はないが、吸収性コア３１、ならびに肌側カバーシート３２及び非肌側カバーシート３３のうちいずれか一方のカバーシートに熱可塑性樹脂が含まれていることが望ましい。
【００３７】
吸収体３は、図５Ａに示すように、厚さ方向の肌側に突出して折れ曲がるように誘導する折れ線３Ｌを有している。ここで、折れ線３Ｌは、製造段階において予め折ることによって形成された線であり、例えばエンボス加工やスリット状の溝（ヒンジ）等によって形成された線は含まれない。
【００３８】
折れ線３Ｌは、図１、図２、及び図４に示すように、吸収体３の幅方向の中央位置に長手方向の一端から他端に亘って形成されている。これにより、使用者が生理用ナプキン１を下着の股下部（クロッチ部）に固定させた状態で下着の着脱を繰り返した場合であっても、折れ線３Ｌに沿った吸収体３の折れ曲がり形状が維持される。このことについては、後述する＜生理用ナプキン１の使用態様について＞の中で具体的に説明することとする。
【００３９】
なお、折れ線３Ｌは、必ずしも吸収体３の幅方向の中央位置に形成されている必要はなく、当該中央位置から幅方向に若干ずれた位置に形成されていても構わない。ただし、生理用ナプキン１は、幅方向の中央位置を基準とした対照的な形状に設計されるものであることから、折れ線３Ｌは幅方向の中央位置に形成されていることが望ましい。図１、図２、図４、ならびに図５Ａ及び図５Ｂでは、折れ線３Ｌを一点鎖線で示している。
【００４０】
また、吸収体３は、図１、図２、及び図４に示すように、折れ線３Ｌを幅方向の中心に含む折り誘導領域３ａを長手方向の一端から他端に亘って有している。この折り誘導領域３ａは、図５Ｂに示すように、折れ線３Ｌに沿って折れ曲がった吸収体３を広げた状態における幅方向の寸法（Ｗａ1＋Ｗａ2）が吸収体３の厚さ方向の寸法Ｔの二倍以下となっている。
【００４１】
なお、図５Ｂでは、折れ線３Ｌに沿って折れ曲がった吸収体３を広げた状態において、折り誘導領域３ａの幅方向の寸法（Ｗａ1＋Ｗａ2）は吸収体３の厚さ方向の寸法Ｔの二倍となっている（Ｗａ1＋Ｗａ2＝Ｔ×２、すなわちＷａ1＝Ｗａ2＝Ｔ）場合を示している。また、吸収体３の厚さ方向の寸法Ｔは３ｍｍ以下であり、望ましくは２ｍｍ以下となるように形成される。このように吸収体３の厚みを薄くすることによって、折れ線３Ｌに沿って吸収体３を折り曲げやすくすると共に、折り誘導領域３ａの形状も維持しやすくなっている。なお、図１、図２、図４、ならびに図５Ａ及び図５Ｂでは、折り誘導領域３ａの幅方向の両端を二点鎖線で示している。
【００４２】
図４に示すように、吸収体３は、厚さ方向に圧搾された点状圧搾部３０を複数有している。ここで、「点状」とは、面積を有しない任意の点の周囲に形成される領域を含むものであり、所定の形状及び面積を有している。吸収体３に吸収された液体は、複数の点状圧搾部３０の間に形成された流路（隙間）を流動して吸収体３内に拡散される。これにより、折れ線３Ｌの周辺、すなわち折り誘導領域３ａに液体が溜まってしまうことによる吸収体３の折れ曲がり形状の崩れを抑制し、当該折れ曲がり形状を維持しやすくなる。
【００４３】
点状圧搾部３０は、より具体的には、図３に示すように、肌側カバーシート３２と吸収性コア３１と非肌側カバーシート３３とを厚さ方向に一緒に圧搾して形成されている。これにより、肌側カバーシート３２と吸収性コア３１と非肌側カバーシート３３との接合が強固となり、吸収体３が液体を吸収して厚さ方向に膨張した場合でも厚みがより変化しにくく、吸収体３の内部における液体の流動を円滑に行うことができる。図３では、複数の点状圧搾部３０のうち２つの点状圧搾部３０のみを破線で示している。なお、吸収体３は、必ずしも複数の点状圧搾部３０を有している必要はなく、少なくとも折れ線３Ｌを有していればよい。この点状圧搾部３０の詳細については、後述することとする。
【００４４】
図１及び図３に示すように、トップシート２と吸収体３とは、複数の点状接合圧搾部２３及び複数の線状接合圧搾部２４により厚さ方向に接合され一体化されている。より具体的には、複数の点状接合圧搾部２３及び複数の線状接合圧搾部２４は、トップシート２の肌側面から圧搾されて形成されている。ここで、点状接合圧搾部２３における「点状」の意味するところについては、点状圧搾部３０における「点状」と同義である。なお、図３では、複数の点状接合圧搾部２３のうち４つの点状接合圧搾部２３と、複数の線状接合圧搾部２４のうち２つの線状接合圧搾部２４とを破線で示している。
【００４５】
複数の点状接合圧搾部２３は、図１に示すように、吸収体３の折り誘導領域３ａの幅方向外側に配置されている。すなわち、複数の点状接合圧搾部２３は、折り誘導領域３ａに形成されていない。仮に、折り誘導領域３ａに点状接合圧搾部２３が形成されているとした場合には、点状接合圧搾部２３では吸収体３の密度が部分的に高くなって吸収体３の剛性が強くなる。その場合、当該部分において折れ線３Ｌに沿った折り曲げ変形が妨げられやすくなったり、折れ線３Ｌに沿った折れ曲がり形状が崩れやすくなったりする。そこで、折り誘導領域３ａに点状接合圧搾部２３を形成しないことにより、吸収体３は折れ線３Ｌに沿って折り曲げやすくなると共に、吸収体３の折り曲げ形状を維持することができる。
【００４６】
複数の線状接合圧搾部２４は、吸収体３の外周縁に沿って連なって形成されており、全体として長手方向に細長い環状をなしている。複数の点状接合圧搾部２３は、複数の線状接合圧搾部２４によって区画された略閉じられた領域内に離散して配置されている。
【００４７】
バックシート４は、液不透過性の部材であり、例えばポリエチレン（ＰＥ）等の樹脂フィルムが用いられる。バックシート４は、生理用ナプキン１の使用時において、トップシート２を透過して吸収体３に吸収された液体が下着等の着衣（非肌側）に染み出すことを抑制する。図２に示すように、バックシート４は、吸収体３の外周縁よりも長手方向の外側及び幅方向の外側へ延出した外縁部４１を有すると共に、幅方向の外側へ張り出した一対の張り出し部４２を長手方向の略中央に有している。
【００４８】
生理用ナプキン１は、バックシート４の外縁部４１と前述したトップシート２の外縁部２１（図１参照）とが接着又は溶着によって接合されることにより、トップシート２とバックシート４との間に吸収体３が保持される構造となっている。また、バックシート４の一対の張り出し部４２と前述したトップシート２の一対の張り出し部２２（図１参照）とが接合されることにより、生理用ナプキン１を下着等に載置固定する際に供される固定部としてのウイング部が構成されている。
【００４９】
バックシート４の非肌側面には、長手方向に延びる一対の帯状の本体粘着部５１が折り誘導領域３ａの幅方向外側にあたる部分に設けられていると共に、一対の矩形状のウイング粘着部５２が一対の張り出し部４２にあたる部分に設けられている。生理用ナプキン１を使用する際は、一対の本体粘着部５１を下着の股下部の内側に貼り付けると共に、一対のウイング部（一対の張り出し部２２，４２）を非肌側に折り曲げて一対のウイング粘着部５２を股下部の外側に貼り付けて、生理用ナプキン１を下着に固定する。
【００５０】
＜生理用ナプキン１の使用態様について＞
次に、生理用ナプキン１の使用態様について、図６を参照して説明する。
【００５１】
図６は、生理用ナプキン１の使用態様について説明するための説明図である。
【００５２】
使用者６が生理用ナプキン１を装着する際には、生理用ナプキン１を下着の股下部に固定させた状態で下着を使用者６の股間６０側に引き上げる。このとき、状態Ａに示すように、生理用ナプキン１の吸収体３には折れ線３Ｌに沿った折れ曲がり形状（折り癖）が予めつけられているため、生理用ナプキン１は肌側（図６における上側）に突出するように折れ曲がった状態で引き上げられる。
【００５３】
使用者６の股間６０に生理用ナプキン１が装着された状態においては、状態Ｂに示すように、折れ線３Ｌに沿って肌側に突出した部分が、膣口等の排泄口６０ａが存在する陰唇に接する。これにより、使用者６に対して生理用ナプキン１の良好なフィット性を感じさせると共に、経血等の排泄液を外部に漏らすことなく吸収体３に吸収させることが可能となる。
【００５４】
ここで、仮に、折れ線３Ｌが吸収体３の長手方向の一部（例えば排泄口６０ａに当接する領域）だけに形成されている場合には、折れ線３Ｌが形成されていない領域の復元力によって吸収体３が広がった状態に戻りやすくなり、折れ線３Ｌに沿った吸収体の折れ曲がり形状を維持し難くなる。一方、本実施形態のように、折れ線３Ｌが吸収体３の長手方向の一端から他端に亘って形成されている場合には、当該復元力が働きづらくなり折れ線３Ｌに沿った吸収体３の折れ曲がり形状が崩れることなく安定的に維持できる。よって、例えば使用者６が１２時間以上という長時間に亘って生理用ナプキン１を繰り返し使用するような環境下であっても、吸収体３を排泄口６０ａにフィットさせることが可能となる。
【００５５】
＜点状圧搾部３０の構成について＞
次に、点状圧搾部３０の詳しい構成について、図７及び図８を参照して説明する。
【００５６】
図７は、吸収体３を長手方向から見た場合における一部拡大模式図である。図８は、吸収体３を厚さ方向の非肌側から見た場合における折り誘導領域３ａ周辺の拡大模式図である。
【００５７】
図７に示すように、点状圧搾部３０は、吸収体３の厚さ方向の非肌側から圧搾されて形成されている。点状圧搾部３０の形成方法としては、例えば、吸収体３の肌側面を平坦な台上に置き、非肌側面から台に向かって断面円形状のピンを押し付けて圧搾することにより形成する方法（いわゆるエンボス加工）が挙げられる。このとき、各点状圧搾部３０に対応した窪み３０３が、吸収体３の肌側に形成される。なお、点状圧搾部３０を形成する際は、必ずしも吸収体３の非肌側から圧搾する必要はなく、肌側から圧搾してもよい。
【００５８】
前述したように、吸収性コア３１には熱可塑性樹脂が含まれていると共に、肌側カバーシート３２及び非肌側カバーシート３３の少なくとも一方のカバーシートにも熱可塑性樹脂が含まれていることから、点状圧搾部３０を形成する際のエンボス加工によって発生した熱で吸収性コア３１の熱可塑性樹脂とカバーシート３２，３３の熱可塑性樹脂とが熱融着され、吸収性コア３１とカバーシート３２，３３とがより強固に接合される。これにより、吸収体３が液体を吸収して厚さ方向に膨張した場合でも厚みが変化し難く、吸収体３内において液体が流動しやすくなる。
【００５９】
また、点状圧搾部３０は、厚さ方向の非肌側に開口３０２を有すると共に、開口３０２とは厚さ方向の反対側（肌側）に被圧搾面３０１を有している。被圧搾面３０１は、吸収体３の非肌側面が圧搾されることにより形成された面である。なお、厚さ方向の肌側から吸収体３を圧搾して点状圧搾部３０を形成した場合には、厚さ方向の非肌側に被圧搾面３０１を有し、厚さ方向の肌側に開口３０２を有することとなる。
【００６０】
本実施形態では、断面が円形状のピンを使用して点状圧搾部３０を形成しているため、被圧搾面３０１及び開口３０２は円形状を有しているが、必ずしも断面が円形状のピンを使用して点状圧搾部３０を形成する必要はなく、例えば断面が星形や矩形状、楕円形状のピンを使用して点状圧搾部３０を形成してもよい。
【００６１】
図７及び図８に示すように、平面視において被圧搾面３０１の大きさは開口３０２の大きさよりも小さい。すなわち、被圧搾面３０１の直径Ｗｄは、開口３０２の直径Ｗｍよりも小さい（Ｗｄ＜Ｗｍ）。図７に示すように、点状圧搾部３０は、厚さ方向の非肌側から肌側に向かって外径寸法が漸次小さくなるように形成されている。これは、点状圧搾部３０の形成過程に伴って生じる現象であり、必ずしも被圧搾面３０１の大きさが開口３０２よりも小さく形成されている必要はない。
【００６２】
なお、被圧搾面３０１の直径Ｗｄは、０．４ｍｍ以上４．０ｍｍ以下であることが望ましい。これは、当該直径Ｗｄが０．４ｍｍよりも小さい場合は点状圧搾部３０を形成する際に吸収体３を厚さ方向に貫通してしまうおそれがあり、直径Ｗｄが４．０ｍｍよりも大きい場合は点状圧搾部３０間に形成された流路の幅が大きくなり、吸収体３における高密度部分が減少して液体を吸収体３内に迅速に拡散させづらくなる。したがって、直径Ｗｄが０．４ｍｍ以上４．０ｍｍ以下である場合には、吸収体３を厚さ方向に貫通することなく点状圧搾部３０を形成することができると共に、吸収体３内における液体の流動を円滑に行うことが可能となる。
【００６３】
ここで、本実施形態では、断面が円形状のピンを使用して点状圧搾部３０を形成しているため、被圧搾面３０１及び開口３０２では、平面視におけるどの方向の幅寸法も直径と等しくなっている。しかしながら、例えば断面が長方形状のピンを使用して点状圧搾部３０を形成すると被圧搾面３０１及び開口３０２は長辺及び短辺を有する長方形状となるため、平面視における幅寸法が方向によって異なることとなる。このように、平面視における幅寸法が方向によって異なるような形状を有する被圧搾面３０１及び開口３０２である場合には、被圧搾面３０１及び開口３０２の最も広い幅の寸法を考えて、以下説明する。
【００６４】
図７に示すように、隣り合う点状圧搾部３０において、被圧搾面３０１の中心３０１ｃ間距離Ｗｃは被圧搾面３０１の最も広い幅としての直径Ｗｄよりも長い。これにより、吸収体３に吸収される液体が流動するために必要な流路を確保することができるため、液体を吸収体３内で円滑に流動させることが可能となる。ここで、「被圧搾面３０１の中心３０１ｃ」とは、被圧搾面３０１が有する形状における各頂点や各辺から等距離にある点をいう。本実施形態では、被圧搾面３０１は円形状を有するため、当該円の中心を示す。
【００６５】
なお、当該距離Ｗｃは、１ｍｍ以上１０ｍｍ以下であることがより望ましい。距離Ｗｃが１ｍｍよりも短い場合は点状圧搾部３０間に形成された隙間が潰れてしまい液体が流動する流路を確保することができなくなるおそれがあり、距離Ｗｃが１０ｍｍよりも長い場合は吸収体３における高密度部分が減少して液体を吸収体３内に迅速に拡散させづらくなる。したがって、距離Ｗｃが１ｍｍ以上１０ｍｍ以下である場合には、液体が流動するために必要な流路を確保することができると共に、吸収体３内における液体の流動を円滑に行うことが可能となる。
【００６６】
吸収体３は、図８に示すように、少なくとも一部が折り誘導領域３ａに重なる第１点状圧搾部３０ａと、第１点状圧搾部３０ａと隣り合って配置され少なくとも一部が折り誘導領域３ａに重なっている第２点状圧搾部３０ｂとを有する。図８では、折り誘導領域３ａに全体が重なる第１点状圧搾部３０ａと、第１点状圧搾部３０ａと隣り合って配置され一部が折り誘導領域３ａに重なっている４つの第２点状圧搾部３０ｂとが一例として示されている。
【００６７】
なお、吸収体３は、第１点状圧搾部３０ａ及び第２点状圧搾部３０ｂに該当する点状圧搾部３０を必ずしも有する必要はないが、第１点状圧搾部３０ａ及び第２点状圧搾部３０ｂを有することによって吸収体３に吸収される液体が流動するための流路を折り誘導領域３ａ内に形成することができるため、折り誘導領域３ａにおける排泄口６０ａ（図６参照）との接触部分に液体が溜まってしまうことなく折り誘導領域３ａ全体に液体が拡散しやすくなり、吸収体３の折れ曲がり形状の崩れを抑制し、当該折れ曲がり形状を安定的に維持することが可能となる。
【００６８】
さらに、点状圧搾部３０の開口３０２の最も広い幅としての直径Ｗｍは、折り誘導領域３ａの幅方向の寸法Ｗａ（図５におけるＷａ1＋Ｗａ2）よりも狭いことが望ましい。これにより、液体が流動するための流路を折り誘導領域３ａ内に確保することができ、図８に矢印で示すように長手方向に液体を流動させやすくなるため、吸収体３の折れ曲がり形状をより安定的に維持することが可能となる。
【００６９】
本実施形態では、複数の点状圧搾部３０は、長手方向及び幅方向にそれぞれ等間隔に配置され、千鳥格子状の配置パターンとなっている（図４参照）。より具体的には、図８に示すように、長手方向に隣り合う最も近い点状圧搾部３０の間の距離Ｗiと幅方向に隣り合う最も近い点状圧搾部３０の間の距離Ｗｓとが等しくなるように複数の点状圧搾部３０が配置されている。なお、複数の点状圧搾部３０は、必ずしも均一に形成されている必要はないが、このように形成することによって、吸収体３内における長手方向への液体の流動を円滑に行うと共に、吸収体３の幅方向における剛性も確保することが可能となる。
【００７０】
＝＝＝変形例＝＝＝
次に、本発明の変形例に係る生理用ナプキンについて、図９を参照して説明する。
【００７１】
図９は、本発明の変形例に係る吸収体３Ａを厚さ方向の非肌側から見た場合における折り誘導領域３ａ周辺の拡大模式図である。図９において、実施形態に係る吸収体３について説明したものと共通する構成要素については、同一の符号を付してその説明を省略する。
【００７２】
本変形例に係る吸収体３Ａでは、点状圧搾部３００が長手方向に長径を有する楕円形状に形成されている。すなわち、点状圧搾部３００の長手方向の寸法Ｗｍ1は、幅方向の寸法Ｗｍ2よりも長く形成されている。なお、本変形例では、点状圧搾部３００は長手方向に長径を有する楕円形状であるが、これに限らず、例えば長手方向に長辺を有する長方形状であってもよく、点状圧搾部３００の長手方向の寸法Ｗｍ1が幅方向の寸法Ｗｍ2よりも長く形成されていればよい。
【００７３】
また、必ずしも点状圧搾部３００の長手方向の寸法Ｗｍ1が幅方向の寸法Ｗｍ2よりも長く形成されている必要はなく、長手方向に隣り合う最も近い点状圧搾部３００の間の距離Ｗｊが幅方向に隣り合う最も近い点状圧搾部３００の間の距離Ｗｂよりも短くなるように複数の点状圧搾部３００が配置されていればよい。これにより、吸収体３内において幅方向よりも長手方向に向かってより液体が流動しやすくなり、より短い時間で吸収体３内に液体を拡散させることが可能となる。
【００７４】
ただし、前述したように点状圧搾部３００を楕円形状や長方形状等にすることによって、隣り合う点状圧搾部３００の中心間距離を変えずに長手方向の点状圧搾部３００間の距離Ｗｊを短くすることが可能となる。
【００７５】
＝＝＝その他＝＝＝
上記の実施形態は、本発明の理解を容易にするためのものであり、本発明を限定して解釈するためのものではない。本発明は、その趣旨を逸脱することなく、変更、改良され得ると共に、本発明にはその等価物が含まれることは言うまでもない。
【符号の説明】
【００７６】
１…生理用ナプキン（吸収性物品）
２…トップシート
３…吸収体
３ａ…折り誘導領域
３Ｌ…折れ線
２３…点状接合圧搾部
３０，３００…点状圧搾部
３０ａ…第１点状圧搾部
３０ｂ…第２点状圧搾部
３１…吸収性コア
３２…肌側カバーシート（カバーシート）
３３…非肌側カバーシート（カバーシート）
３０１…被圧搾面
３０２…開口
【要約】
【課題】着脱を繰り返して使用した場合であっても、膣口等の排泄口に吸収体をフィットさせることが可能な吸収性物品を提供する。
【解決手段】長手方向、幅方向、及び厚さ方向を備えた生理用ナプキン１であって、液体を吸収する吸収体３を備え、吸収体３は、厚さ方向の肌側に突出して折れ曲がるように誘導する折れ線３Ｌを長手方向の一端から他端に亘って有する。
【選択図】図４【図１】
0005978341.tif 000002
【図２】
0005978341.tif 000003
【図３】
0005978341.tif 000004
【図４】
0005978341.tif 000005
【図５】
0005978341.tif 000006
【図６】
0005978341.tif 000007
【図７】
0005978341.tif 000008
【図８】
0005978341.tif 000009
【図９】
0005978341.tif 000010